(57)【要約】    【課題】      新たな機器の設置を伴うことなく通信端末装置の送信電力を制限するエリアを設けること。    【解決手段】  通信端末装置１００は、ＢＢ受信部１０３において基地局装置より送信された上り送信電力の制限および解除を判定する基準となるしきい値情報および上り送信電力の上限値を示す送信電力制御情報を取得する。候補基地局装置判定部１０７は、伝搬路品質測定部１０６にて測定された特殊基地局装置３００と通信端末装置１００との間の通信品質およびしきい値情報を比較することにより特殊基地局装置３００を通信相手として選択するか判定する。特殊基地局装置３００が通信相手として選択された場合、送信電力制御部１０９は、送信電力制御情報にて通知された上り送信電力を上限値として上り送信電力を決定する。  【選択図】      図２
2007110210.tif 000002
【特許請求の範囲】
【請求項１】
上り送信電力の上限値に制限の無い通常セルをカバーする通常基地局、上り送信電力の上限値が制限された特殊セルをカバーする特殊基地局および通信端末装置からなる移動通信システムであって、
前記通信端末装置は、
上り送信電力の上限値が制限された特殊セルをカバーする特殊基地局装置から送信されるしきい値情報および上り送信電力の上限値を示す送信電力制御情報を取得する取得手段と、
前記取得手段にて取得したしきい値情報および特殊基地局装置との間の通信品質に基づき前記基地局を通信相手として選択するか否かを決定する選択手段と、
前記選択手段にて特殊基地局が通信相手として選択された場合には、前記取得手段にて取得した送信電力制御情報にて制限された上り送信電力を上限値として上り送信電力を決定する送信電力制御手段と、
前記送信電力制御手段にて決定された上り送信電力で送信を行う送信手段と、
を具備することを特徴とする移動通信システム。
【請求項２】
前記しきい値情報は、
前記特殊基地局装置による上り送信電力の制限が開始される前記通信端末装置と前記特殊基地局装置との間の通信品質を示す第一のしきい値であり、
前記選択手段は、
前記特殊基地局と前記通信端末との間の通信品質が前記第一のしきい値以上である場合には、特殊基地局を通信相手として選択する
ことを特徴とする請求項１記載の移動通信システム。
【請求項３】
前記しきい値情報は、
前記特殊基地局装置による上り送信電力の制限が終了する前記通信端末装置と前記特殊基地局装置との間の通信品質を示す第二のしきい値であり、
前記選択手段は、
前記特殊基地局と前記通信端末との間の通信品質が前記第二のしきい値未満である場合には、前記通常基地局を通信相手として選択する
ことを特徴とする請求項１乃至２記載の移動通信システム。
【請求項４】
前記しきい値情報は、
前記通常基地局を通信相手の選択対象から除外する前記通信端末装置と前記特殊基地局装置との間の通信品質を示す第三のしきい値であり、
前記選択手段は、
前記特殊基地局装置と前記通信端末装置との間の通信品質が第三のしきい値以上である場合には、前記通常基地局を通信相手の選択対象から除外する
ことを特徴とする請求項１乃至３記載の移動通信システム。
【請求項５】
前記しきい値情報は、
前記特殊基地局装置を通信相手との選択対象から除外する前記通信端末装置と前記基地局装置との間の通信品質を示す第四のしきい値であり、
前記選択手段は、
前記特殊基地局装置と前記通信端末装置との間の通信品質が第四のしきい値未満である場合には、前記特殊基地局を通信相手の選択対象から除外する
ことを特徴とする請求項１乃至４記載の移動通信システム。
【請求項６】
上り送信電力の上限値が制限された特殊セルをカバー特殊基地局装置から送信されるし
きい値情報および上り送信電力の上限値を示す送信電力制御情報を取得する取得手段と、
前記取得手段にて取得したしきい値情報および特殊基地局装置との間の通信品質に基づき前記基地局を通信相手として選択するか否かを決定する選択手段と、
前記選択手段にて特殊基地局が通信相手として選択された場合には、前記取得手段にて取得した送信電力制御情報にて制限された上り送信電力を上限値として上り送信電力を決定する送信電力制御手段と、
前記送信電力制御手段にて決定された上り送信電力で送信を行う送信手段と、
を具備することを特徴とする通信端末装置。
【発明の詳細な説明】
【技術分野】
【０００１】
本発明は、通信端末装置から基地局装置への上り送信電力を適切に制限する移動通信システムおよび通信端末装置に関する。
【背景技術】
【０００２】
近年、携帯電話に代表される通信端末装置の普及に伴い、携帯電話による医療機器への影響について、社会問題になり始めている。医療施設内には人命に直接関わる医療機器が多数設置されており、これらの機器は携帯電話により誤動作を引き起こす可能性があるといわれている。そのためほとんどの医療施設では携帯電話の使用を制限している。尚、通信端末装置を屋内で使用するための技術が、例えば特許文献１によって提案されている。
【０００３】
一方、特許文献２には、通信端末装置が基地局装置と通信を確立する際に複数の基地局装置のカバーするセルに近接もしくは在圏した場合、通信端末装置は近接する全ての基地局装置との間の伝搬路品質を測定し、伝搬路品質が最も良い基地局装置と無線接続を確立する技術が開示されている。
【特許文献１】特開２００４−１９３８６７号公報
【特許文献２】国際公開第９８／４８５２８号パンフレット
【発明の開示】
【発明が解決しようとする課題】
【０００４】
しかしながら、上記した特許文献１が示す技術では、上り送信電力を制限するエリアを構築するために、上り送信電力が制限されたエリアであることを通信端末装置に報知するための特別な送信装置が必要となり、システム構築にコストがかかるという問題がある。
【０００５】
また、上記した特許文献２が示す技術を通常の基地局装置と上り送信電力の上限値が制限したいエリアをカバーする基地局装置が混在するシステムに適用した場合、通信端末装置は伝搬路品質が最良の基地局装置と無線通信を確立するため、上り送信電力の制限したいエリアに在圏していたとしても、必ずしも上り送信電力の上限値が制限したいエリアをカバーする基地局装置と無線通信が確立されるとは限らないという問題がある。
【０００６】
本発明はかかる点に鑑みてなされたものであり、新たな装置を必要とせず低コストで上り送信電力の制限を行いたいエリアにおいて適切に上り送信電力の制御を行うことができる移動通信システムおよび通信端末装置を提供することを目的とする。
【課題を解決するための手段】
【０００７】
本発明の移動通信システムは、上り送信電力の上限値に制限の無い通常セルをカバーする通常基地局装置、送信電力の上限値が制限された特殊セルをカバーする特殊基地局装置および通信端末装置からなる移動通信システムであって、通信端末装置は、上り送信電力の上限値が制限された特殊セルをカバーする特殊基地局装置から送信されるしきい値情報および上り送信電力の上限値を示す送信電力制御情報を取得する取得手段と、取得手段にて取得したしきい値情報および特殊基地局装置との間の通信品質に基づき特殊基地局装置を通信相手として選択するか否かを決定する選択手段と、選択手段にて特殊基地局装置が通信相手として選択された場合には、取得手段にて取得した送信電力制御情報にて制限された上り送信電力を上限値として上り送信電力を決定する送信電力制御手段と、送信電力制御手段にて決定された上り送信電力で送信を行う送信手段と、を具備する構成を採る。
【０００８】
このような構成によれば、特殊基地局装置と通信端末装置との通信品質に基づき通信相手となる基地局装置を選択するため、上り送信電力を制限したい特殊セル内において適切に送信電力を制限することができる。
【０００９】
また、本発明の移動通信システムは、しきい値情報は、特殊基地局装置による上り送信電力の制限が開始される通信端末装置と特殊基地局装置との間の通信品質を示す第一のしきい値であり、選択手段は、特殊基地局装置と通信端末装置との間の通信品質が第一のしきい値以上である場合には、特殊基地局装置を通信相手として選択する構成を採る。
【００１０】
このような構成によれば、特殊基地局装置と通信端末装置との間の通信品質と第一のしきい値とを比較することにより、上り送信電力を制限したい特殊セル内において適切に送信電力を制限することができる。
【００１１】
また、本発明の移動通信システムは、しきい値情報は、特殊基地局装置による上り送信電力の制限が終了する通信端末装置と特殊基地局装置との間の通信品質を示す第二のしきい値であり、選択手段は、特殊基地局装置と通信端末装置との間の通信品質が第二のしきい値未満である場合には、通常基地局装置を通信相手として選択する構成を採る。
【００１２】
このような構成によれば、特殊基地局装置と通信端末装置との間の通信品質と第二のしきい値とを比較することにより、通信端末装置が特殊セルの外縁に位置し、上り送信電力の制限を行う必要が無くなった場合に、適切に上り送信電力の制御を行うことができる。
【００１３】
また、本発明の通信端末装置は、しきい値情報は、通常基地局装置を通信相手の選択対象から除外する通信端末装置と特殊基地局装置との間の通信品質を示す第三のしきい値であり、選択手段は、特殊基地局装置と通信端末装置との間の通信品質が第三のしきい値以上である場合には、通常基地局装置を通信相手の選択対象から除外する構成を採る。
【００１４】
このような構成によれば、特殊基地局装置と通信端末装置との間のしきい値が第三のしきい値以上である場合には、通常基地局装置を通信相手の選択対象から除外するので、通信相手の選択に要する処理量や処理時間を削減することができる。
【００１５】
また、本発明の通信端末装置は、しきい値情報は、特殊基地局装置を通信相手との選択対象から除外する通信端末装置と基地局装置との間の通信品質を示す第四のしきい値であり、選択手段は、特殊基地局装置と通信端末装置との間の通信品質が第四のしきい値未満である場合には、特殊基地局装置を通信相手の選択対象から除外する構成を採る。
【００１６】
このような構成によれば、特殊基地局装置と通信端末装置との間のしきい値が第四のしきい値未満である場合には、特殊基地局装置を通信相手の選択対象から除外するので、通信相手の選択に要する処理量や処理時間を削減することができる。
【００１７】
また、本発明の通信端末装置は、上り送信電力の上限値が制限された特殊セルをカバーする特殊基地局装置から送信されるしきい値情報および上り送信電力の上限値を示す送信電力制御情報を取得する取得手段と、取得手段にて取得したしきい値情報および特殊基地局装置との間の通信品質に基づき基地局装置を通信相手として選択するか否かを決定する選択手段と、選択手段にて特殊基地局装置が通信相手として選択された場合には、取得手段にて取得した送信電力制御情報にて制限された上り送信電力を上限値として上り送信電力を決定する送信電力制御手段と、送信電力制御手段にて決定された上り送信電力で送信を行う送信手段と、を具備する構成を採る。
【００１８】
このような構成によれば、特殊基地局装置と通信端末装置との通信品質に基づき通信相手となる基地局装置を選択するため、上り送信電力を制限したい特殊セル内において適切に送信電力を制限することができる。
【発明の効果】
【００１９】
このように本発明によれば、病院等の上り送信電力の制限を行いたいエリアにおいて新たな装置の設置を伴うことなく適切に上り送信電力を制御することができる。
【発明を実施するための最良の形態】
【００２０】
以下、本発明の実施の形態について図面を参照して詳細に説明する。
【００２１】
本発明の骨子は、上り送信電力の上限値が制限されたセルをカバーする基地局装置と通信端末装置との間の通信品質に基づいて無線通信を確立する基地局装置を選択することである。
【００２２】
（実施の形態１）
図１は、本発明に係る移動通信システムの構成の一例を示す図である。図１に示す移動通信システムは、通信端末装置１００、制限を受けることなく通常の上り送信電力制御に基づいて決定された上り送信電力により通信を行う通常基地局装置２００および通常基地局装置２００に比べて上り送信電力の上限値が制限されたセルをカバーする特殊基地局装置３００からなる。以下、通常基地局装置２００、特殊基地局装置３００がカバーするセルをそれぞれ通常セル、特殊セルと呼ぶ。特殊基地局装置３００は、通常基地局装置２００がカバーする通常セル内において、病院などのように上り送信電力の上限を制限したいエリアに設置される。
【００２３】
通常基地局装置２００および特殊基地局装置３００はそれぞれ、自局が通常基地局装置であるか特殊基地局装置であるかを示す報知情報および自局のカバーするセルにおいて許容される上り送信電力の上限値を示す上り送信電力制御情報を通信端末装置１００に送信する。また、特殊基地局装置３００は、通信端末装置１００が通信相手として特殊基地局装置３００を選択するか否かの基準値を示すしきい値情報を送信する。
【００２４】
次に、本発明の実施の形態１に係る通信端末装置１００の構成について図２のブロック図を用いて説明する。通信端末装置１００は、周辺に存在する基地局装置との間の伝搬路品質測定を行い、伝搬路品質が最も良い基地局装置を見つけるセルサーチ処理を定期的に行っている。
【００２５】
図２は本発明の実施の形態１に係る通信端末装置１００の要部構成を示すブロック図である。図２に示す通信端末装置１００は、アンテナ１０１、ＲＦ部１０２、ＢＢ受信部１０３、報知情報判定部１０４、しきい値情報格納部１０５、伝搬路品質測定部１０６、候補基地局装置判定部１０７、送信電力情報格納部１０８および送信電力制御部１０９を有している。
【００２６】
ＲＦ部１０２は、基地局装置より送信された信号をアンテナ１０１経由で受信し、受信信号に対して所定の無線処理（ダウンコンバート、Ａ／Ｄ変換など）を施し、ＢＢ受信部１０３に出力する。また、送信信号に対して所定の無線処理（Ｄ／Ａ変換、アップコンバートなど）を施し、送信電力制御部１０９で決定された上り送信電力により基地局装置に対して送信処理を行う。
【００２７】
ＢＢ受信部１０３は、ＲＦ受信部１０２より出力された受信信号から通信相手の候補となっている基地局装置が、通常基地局装置２００であるか特殊基地局装置３００であるか
を示す報知情報および通信相手の候補となっている基地局装置がカバーするセルにおいて許容される上り送信電力の上限値を示す上り送信電力制御情報を取得し、報知情報判定部１０４に出力する。また、通信相手の候補である基地局装置が特殊基地局装置３００である場合には、通信端末装置１００が通信相手として特殊基地局装置３００を選択するか否かの基準値を示すしきい値情報を取得し、報知情報判定部１０６に出力する。
【００２８】
また、ＢＢ受信部１０３は、受信信号の受信レベルを伝搬路品質測定部１０６に出力する。
【００２９】
報知情報判定部１０４は、ＢＢ受信部１０３から出力された報知情報に基づいて、通信相手の候補となっている基地局装置が通常基地局装置２００であるか特殊基地局装置３００であるかを判定し、判定結果を候補基地局装置判定部１０７に出力する。また、報知情報判定部１０４は、しきい値情報および上り送信電力制御情報を取得し、それぞれ、しきい値情報格納部１０５および送信電力情報格納部１０８に出力する。
【００３０】
しきい値情報格納部１０５は、報知情報判定部１０４から出力されたしきい値情報を格納し、通信相手の候補となっている基地局装置が特殊基地局装置３００である場合には、しきい値情報を伝搬路品質測定部１０４に出力する。
【００３１】
伝搬路品質測定部１０６は、ＢＢ受信部１０３から出力された受信レベルと基地局装置の上り送信電力より伝搬路品質の測定を行い、測定結果を候補基地局装置判定部１０７に出力する。
【００３２】
候補基地局装置判定部１０７は、報知情報判定部１０４よりセルサーチの対象が特殊基地局装置３００である旨の通知があった場合には、伝搬路品質測定部１０６より出力された伝搬路品質およびしきい値情報格納部１０５から出力されたしきい値に基づき、通信相手の候補となる基地局装置の判定を行う。具体的な通信相手の候補となる基地局装置の判定方法については後述する。
【００３３】
候補基地局装置判定部１０７は、伝搬路品質測定部１０６から出力された伝搬路品質としきい値情報に基づき通信相手の候補として特殊基地局装置３００が有効であるか（通信相手として特殊基地局装置３００を選択するか）、無効であるか（通信相手として特殊基地局装置３００を選択しないか）を、送信電力制御部１０９に通知する。
【００３４】
送信電力情報格納部１０８は、通常基地局装置２００および特殊基地局装置３００のカバーするセルにおいてそれぞれ許容される最大上り送信電力の上限値を送信電力制御部１０９に出力する。
【００３５】
送信電力制御部１０９は、候補基地局装置判定部１０７から通信相手の候補として特殊基地局装置３００が無効であるとの通知を受けた場合には、送信電力情報格納部１０８より出力された通常基地局装置２００のカバーする通常セルにおける最大上り送信電力の上限値を限度して上り送信電力の制御を行う。一方、候補基地局装置判定部１０７から通信相手の候補として特殊基地局装置３００が有効であるとの通知を受けた場合には、送信電力情報格納部１０８より出力された特殊基地局装置３００のカバーする特殊セルにおける最大上り送信電力の上限値を限度して上り送信電力の制御を行う。送信電力制御部１０９は、上り送信電力の制御結果をＲＦ部１０２に出力し、ＲＦ部１０２において送信電力制御部１０９により決定された上り送信電力に従って、送信処理が行われる。
【００３６】
次に、候補基地局装置判定部１０７の動作を、図３を用いて説明する。
【００３７】
図３は、通信端末装置１００の各位置における通常基地局装置２００および特殊基地局装置３００と通信端末装置１００との間の伝搬路品質を示す図である。以下、図３を用いて、従来例における基地局装置の選択方法と本発明における基地局装置の選択方法を比較して説明する。
【００３８】
図３において、通信端末装置１００の各位置（A）から（F）は、図１に示す通信端末装置１００の各位置に対応している。具体的には、位置（A）は通常セル内に在圏、位置（B）は通常セルから特殊セルへ移動、（C）は特殊セルの中心付近に在圏、（D）は特殊セルの中心部から境界付近へ移動、（E）は特殊セルを出て通常セルへ移動、（F）は通常セルに在圏し特殊セルから遠ざかっている状態をそれぞれ表している。
【００３９】
また、第一のしきい値および第二のしきい値は、通信端末装置１００と特殊基地局装置３００との間の伝搬路品質を評価対象とするものであり、具体的には、第一のしきい値は、特殊基地局装置３００による上り送信電力の制限が開始される通信端末装置１００と特殊基地局装置３００との間の伝搬路品質の値であり、第二のしきい値は特殊基地局装置３００による上り送信電力の制限が終了する通信端末装置１００と特殊基地局装置３００との間の伝搬路品質の値である。
【００４０】
以下、各位置における通信端末装置１００と通信相手となる基地局装置の選択方法について説明する。
【００４１】
まず、位置（A）において、通信端末装置１００は通常基地局装置２００のカバーする通常セル内に在圏しており、特殊基地局装置３００の報知情報により特殊基地局装置３００が近接していることを識別する。伝搬路品質測定部１０６は、通信相手の候補となる通常基地局装置２００および特殊基地局装置３００と通信端末装置１００との間の伝搬路品質をそれぞれ測定する。位置（A）では、通常基地局装置２００と通信端末装置１００との間の伝搬路品質が特殊基地局装置３００と通信端末装置１００との間の伝搬路品質よりも優れており、測定結果が候補基地局装置判定部１０９に出力される。
【００４２】
従来の通信基地局装置選択方法では、単純に伝搬路品質の優れた基地局装置を選択するので、通常基地局装置２００が通信相手として選択される。一方、本発明の通信基地局装置選択方法では、候補基地局装置判定部１０７は、特殊基地局装置３００により上り送信電力の制限が開始される通信端末装置１００と特殊基地局装置３００との間の伝搬路品質の値である第一のしきい値と特殊基地局装置３００と通信端末装置１００との間の伝搬路品質の比較を行う。位置（A）では、特殊基地局装置３００と通信端末装置１００との間の伝搬路品質が第一のしきい値未満であるので、特殊基地局装置３００での制限を考慮することなく、伝搬路品質の優れた基地局装置、すなわち、通常基地局装置２００を通信相手となる基地局装置として選択し、送信電力制御部１０９に選択結果を出力する。
【００４３】
送信電力制御部１０９は、候補基地局装置判定部１０７から出力された通常基地局装置２００を通信相手として選択する選択結果および送信電力情報格納部１０８に格納された通常基地局装置２００での上り送信電力の上限値の範囲内において上り送信電力制御に基づいて上り送信電力を決定する。
【００４４】
次に、位置（B）において、通信端末装置１００は通常セルから特殊セルへ移動しており、通信相手の候補となる通常基地局装置２００および特殊基地局装置３００と通信端末装置１００との間の伝搬路品質を測定する。位置（B）では、通常基地局装置２００と通信端末装置１００との間の伝搬路品質が特殊基地局装置３００と通信端末装置１００との間の伝搬路品質よりも優れており、測定結果が候補基地局装置判定部に出力される。
【００４５】
従来の通信基地局装置選択方法では、位置（A）と同様に、通常基地局装置２００と通信端末装置１００との間の伝搬路品質が特殊基地局装置３００と通信端末装置１００との間の伝搬路品質よりも優れているので、通常基地局装置２００が通信相手として選択される。一方、本発明の通信基地局装置選択方法では、候補基地局装置判定部１０７は、特殊基地局装置３００により上り送信電力の制限が開始される通信端末装置１００と特殊基地局装置３００との間の伝搬路品質の値である第一のしきい値と特殊基地局装置３００と通信端末装置１００との伝搬路品質の比較を行う。位置（B）では、特殊基地局装置３００と通信端末装置１００との伝搬路品質が第一のしきい値以上であるため、通常基地局装置２００と通信端末装置１００との間の伝搬路品質が特殊基地局装置３００と通信端末装置１００との間の伝搬路品質よりも優れているにも関わらず、特殊基地局装置３００を通信相手となる基地局装置として選択し、送信電力制御部１０９に選択結果を出力する。
【００４６】
送信電力制御部１０９は、候補基地局装置判定部１０７から出力された特殊基地局装置３００を通信相手として選択する選択結果および送信電力情報格納部１０８に格納された特殊基地局装置３００での上り送信電力の上限の範囲内において上り送信電力制御１０９に基づいて上り送信電力を決定する。
【００４７】
尚、通信端末装置１００が通常基地局装置２００と通信中である場合には、通常基地局装置２００および特殊基地局装置３００の両方と接続をし、通信端末装置の上り送信電力は特殊基地局装置３００により設定された上限値を範囲として通信を行う。
【００４８】
次に、位置（C）において、通信端末装置１００は特殊セルの中心付近に在圏しており、通信相手の候補となる通常基地局装置２００および特殊基地局装置３００と通信端末装置１００との間の伝搬路品質を測定する。位置（C）では、特殊基地局装置３００と通信端末装置１００との間の伝搬路品質が通常基地局装置２００と通信端末装置１００との間の伝搬路品質よりも優れており、測定結果が候補基地局装置判定部１０７に出力される。
【００４９】
従来の通信基地局装置選択方法では、特殊基地局装置３００と通信端末装置１００との間の伝搬路品質が通常基地局装置２００と通信端末装置１００との間の伝搬路品質よりも優れているので、特殊基地局装置３００が通信相手として選択される。一方、本発明の通信基地局装置選択方法では、候補基地局装置判定部１０７は、特殊基地局装置３００により上り送信電力の制限が開始される通信端末装置１００と特殊基地局装置３００との間の伝搬路品質の値である第一のしきい値と特殊基地局装置３００と通信端末装置１００との伝搬路品質の比較を行う。位置（C）では、特殊基地局装置３００と通信端末装置１００との伝搬路品質が第一のしきい値以上であるので特殊基地局装置３００を通信相手となる基地局装置として選択し、送信電力制御部に選択結果を出力する。
【００５０】
送信電力制御部１０９は、候補基地局装置判定部１０７から出力された特殊基地局装置３００を通信相手として選択する選択結果および送信電力情報格納部１０８に格納された特殊基地局装置３００での上り送信電力の上限の範囲内において上り送信電力制御に基づいて上り送信電力を決定する。
【００５１】
次に、位置（D）において、通信端末装置１００は特殊基地局装置３００のセルの中心部から境界付近へ移動しており、通信相手の候補となる通常基地局装置２００および特殊基地局装置３００と通信端末装置１００との間の伝搬路品質を測定する。位置（D）では、特殊基地局装置３００の伝搬路品質が低下し、通常基地局装置２００と通信端末装置１００との間の伝搬路品質が特殊基地局装置３００と通信端末装置１００との間の伝搬路品質よりも優れた状態となっている。伝搬路品質測定部１０６は、測定結果を候補基地局装置判定部１０７に出力する。
【００５２】
従来の通信基地局装置選択方法では、通常基地局装置２００と通信端末装置１００との間の伝搬路品質が特殊基地局装置３００と通信端末装置１００との間の伝搬路品質よりも優れているので、未だ特殊セル内に在圏しているにも関わらず、通常基地局装置２００が通信相手として選択される。一方、本発明の通信基地局装置選択方法では、候補基地局装置判定部１０７は、特殊基地局装置３００により上り送信電力の制限が開始される通信端末装置１００と特殊基地局装置３００との間の伝搬路品質の値である第一のしきい値および上り送信電力の制限が終了する通信端末装置１００と特殊基地局装置３００との間の伝搬路品質の値である第二のしきい値と値特殊基地局装置３００と通信端末装置１００との伝搬路品質の比較を行う。位置（D）では、特殊基地局装置３００と通信端末装置１００との伝搬路品質が第一のしきい値未満であるが、第二のしきい値以上であるため、上り送信電力の制御を解除することなく、通常基地局装置２００と通信端末装置１００との間の伝搬路品質が特殊基地局装置３００と通信端末装置１００との間の伝搬路品質よりも優れているにも関わらず、特殊基地局装置３００を通信相手となる基地局装置として選択し、送信電力制御部１０９に選択結果を出力する。
【００５３】
送信電力制御部１０９は、候補基地局装置判定部から出力された特殊基地局装置３００を通信相手として選択する選択結果および送信電力情報格納部１０８に格納された特殊基地局装置３００での上り送信電力の上限の範囲内において上り送信電力制御に基づいて上り送信電力を決定する。
【００５４】
次に、位置（E）において、通信端末装置１００は（E）は特殊セルを出て通常セルへ移動しており、通信相手の候補となる通常基地局装置２００および特殊基地局装置３００と通信端末装置１００との間の伝搬路品質を測定する。位置（E）では、特殊基地局装置３００の伝搬路品質が更に低下し、通常基地局装置２００と通信端末装置１００との間の伝搬路品質が特殊基地局装置３００と通信端末装置１００との間の伝搬路品質よりも優れた状態となっている。伝搬路品質測定部１０６は、測定結果を候補基地局装置判定部１０７に出力する。
【００５５】
従来の通信基地局装置選択方法では、通常基地局装置２００と通信端末装置１００との間の伝搬路品質が特殊基地局装置３００と通信端末装置１００との間の伝搬路品質よりも優れているので、通常基地局装置２００が通信相手として選択される。一方、本発明の通信基地局装置選択方法では、候補基地局装置判定部１０７は、特殊基地局装置３００により上り送信電力の制限が開始される通信端末装置１００と特殊基地局装置３００との間の伝搬路品質の値である第一のしきい値および上り送信電力の制限が終了する通信端末装置１００と特殊基地局装置３００との間の伝搬路品質の値である第二のしきい値と値特殊基地局装置３００と通信端末装置１００との伝搬路品質の比較を行う。位置（E）では、特殊基地局装置３００と通信端末装置１００との伝搬路品質が第一のしきい値未満であり、かつ、第二のしきい値未満であるため、上り送信電力の制御が解除され、伝搬路品質の優れている基地局装置、すなわち通常基地局装置２００を基地局装置として選択し、送信電力制御部１０９に選択結果を出力する。
【００５６】
送信電力制御部１０９は、候補基地局装置判定部１０７から出力された通常基地局装置２００を通信相手として選択する選択結果および送信電力情報格納部１０８に格納された通常基地局装置２００での上り送信電力の上限の範囲内において上り送信電力制御に基づいて上り送信電力を決定する。
【００５７】
尚、通信端末装置１００が特殊基地局装置３００と通信中である場合には、通常基地局装置２００および特殊基地局装置３００の両方と接続をし、通信端末装置の上り送信電力は通常基地局装置２００との間の上り送信電力制御に基づき決定される。
【００５８】
次に、位置（F）において、通信端末装置１００は通常基地局装置２００のセルに在圏し特殊基地局装置３００のセルから遠ざかっており、特殊基地局装置３００の伝搬路品質は更に低下した状態となっている。伝搬路品質測定部は、特殊基地局装置３００の伝搬路品質が低いため、特殊基地局装置３００を通信相手の候補から除外し、通常基地局装置２００を通信相手として選択する。伝搬路品質測定部１０６は、選択結果を候補基地局装置判定部に出力する。
【００５９】
送信電力制御部１０９は、候補基地局装置判定部から出力された通常基地局装置２００を通信相手として選択する選択結果および送信電力情報格納部１０８に格納された通常基地局装置２００での上り送信電力の上限値の範囲内において上り送信電力制御に基づいて上り送信電力を決定する。
【００６０】
以上をまとめると、従来の通信基地局装置選択方法によれば、上り送信電力の制限を行いたい特殊基地局装置３００のカバーする特殊セル内に通信端末装置１００が在圏しているにも関わらず、特殊基地局装置３００と通信端末装置１００の間の伝搬路品質が通常基地局装置２００と通信端末装置１００の伝搬路品質よりも優れている間しか適切に上り送信電力制御をすることが出来ない。
【００６１】
一方、本発明においては、特殊基地局装置３００により上り送信電力の制限が開始される通信端末装置１００と特殊基地局装置３００との間の伝搬路品質の値である第一のしきい値および特殊基地局装置３００による上り送信電力の制限が終了する通信端末装置１００と特殊基地局装置３００との間の伝搬路品質の値である第二のしきい値を導入することにより、通常基地局装置２００と通信端末装置１００との間の伝搬路品質が特殊基地局装置３００と通信端末装置１００との伝搬路品質が優れている場合（図３における位置（B）および位置（D））においても、適切に上り送信電力を制限することができる。
【００６２】
図４は、本発明を適用した場合の通信端末装置１００の各位置における上り送信電力の変化を示した図である。図４に示すように、特殊基地局装置３００を通信相手として選択した範囲においては、通常基地局装置２００を通信相手として選択した場合に比べて、上り送信電力を制限することができる。ここで、特殊基地局装置３００における上り送信電力は、医療機器や心臓ペースメーカーに悪影響を及ぼさない程度の小電力とする。
【００６３】
このように本発明の実施の形態によれば、特殊基地局装置３００により上り送信電力の制限が開始される通信端末装置１００と特殊基地局装置３００との間の伝搬路品質の値である第一のしきい値および特殊基地局装置３００による上り送信電力の制限が終了する通信端末装置１００と特殊基地局装置３００との間の伝搬路品質の値である第二のしきい値を導入することにより、通信相手として特殊基地局装置３００を優先すべき地点を判別することができるので、通常基地局装置２００と通信端末装置１００との間の伝搬路品質が特殊基地局装置３００と通信端末装置１００との伝搬路品質が優れている場合においても、適切に上り送信電力を制限することができる。また、基地局装置および通信端末装置１００のみでの実現が可能であり、新たな装置を必要としないので、低コストでの実現が可能である。
【００６４】
（実施の形態２）
本発明の実施の形態の特徴は、通信端末装置１００が特殊セルと通常セルの境界付近でハンドオーバしている状態において実施の形態１に加えて、通信端末装置１００と通常基地局装置２００の間の伝搬路品質を通信相手の候補判定から除外する伝搬路品質の値である第三のしきい値と、通信端末装置１００と特殊基地局装置３００の伝搬路品質を通信相手の候補判定から除外する伝搬路品質の値である第四のしきい値を導入したことである。
【００６５】
以下、図５を用いて本発明の実施の形態に係る候補基地局装置判定方法を説明する。
【００６６】
図５は、通信端末装置１００の各位置における通常基地局装置２００および特殊基地局装置３００と通信端末装置１００との間の伝搬路品質を示す図である。
【００６７】
図５において、通信端末装置１００の各位置（A）から（F）は図３に示す通信端末装置１００の各位置に対応している。位置（G）は、位置（B）から更に特殊基地局装置３００のカバーする特殊セルの中心に向かって移動、位置（H）は、位置（F）から更に特殊セルより遠ざかっている状態を表している。
【００６８】
また、第三のしきい値および第四のしきい値は、通信端末装置１００と特殊基地局装置３００との間の伝搬路品質を評価対象とするものであり、具体的には、第三のしきい値は、通常基地局装置２００が通信相手候補基地局装置の判定対象から除外される通信端末装置１００と特殊基地局装置３００との間の伝搬路品質であり、第四のしきい値は特殊基地局装置３００が通信相手候補基地局装置の判定から除外される通信端末装置１００と特殊基地局装置３００との間の伝搬路品質である。
【００６９】
位置（A）から（F）の各位置における通信相手基地局装置の判定方法は実施の形態１と同様であるので説明を省略する。
【００７０】
位置（G）において、通信端末装置１００は特殊基地局装置３００のカバーする特殊セルの境界から中央部に向かって移動している。通信端末装置１００は、通信相手の候補となる通常基地局装置２００および特殊基地局装置３００との間の伝搬路品質を測定する。位置（G）では、通信端末装置１００と特殊基地局装置３００との間の伝搬路品質は、第一のしきい値以上であり（通信相手として伝搬路品質の比較結果に関わり無く特殊基地局装置３００を選択する）、かつ、第三のしきい値以上である。この場合、通信端末装置１００は、通常基地局装置２００を通信相手の候補から除外し、特殊基地局装置３００とのみの通信に移行する。
【００７１】
また、通信端末装置１００が、位置（Ｇ）において待ち受け状態である場合には、特殊基地局装置３００と通信端末装置１００との間の伝搬路品質が第三のしきい値以上であるので、特殊基地局装置３００との通信で十分な通信品質が確保できると判断し、通常基地局装置２００を通信相手の候補から除外し、特殊セル以外の通常セルには接続を行わないようにする。
【００７２】
位置（Ｈ）において、通信端末装置１００は位置（F）から更に特殊セルより遠ざかっている。通信端末装置１００は、通信相手の候補となる通常基地局装置２００および特殊基地局装置３００との間の伝搬路品質を測定する。位置（Ｈ）では、通信端末装置１００と特殊基地局装置３００との間の伝搬路品質は、第二のしきい値未満であり（通信相手として伝搬路品質の比較結果に関わり無く通常基地局装置２００を選択する）、かつ、第四のしきい値未満である。この場合、通信端末装置１００は、特殊基地局装置３００との間で十分な通信品質を確保できなくなったものと判定し、特殊基地局装置３００を通信相手の候補から除外し、特殊基地局装置３００とのみの通信に移行する。
【００７３】
このように本実施の形態によれば、通信端末装置１００と通常基地局装置２００の間の伝搬路品質を通信相手の候補判定から除外する伝搬路品質の値である第三のしきい値と、通信端末装置１００と特殊基地局装置３００の伝搬路品質を通信相手の候補判定から除外する伝搬路品質の値である第四のしきい値を導入することにより、実施の形態１の効果に加えて、伝搬路品質の低くなった基地局装置を通信相手の候補から除外することができるので、通信端末装置における処理量を削減することができる。
【産業上の利用可能性】
【００７４】
本発明の移動通信システムおよび通信端末装置は、病院等の上り送信電力の制限を設けたいエリアにおいて新たな機器の設置を伴うことなく適切に上り送信電力を制御することができるといった効果を有し、例えばホットスポット的に小型小容量の基地局装置を設置する移動体通信システム等に広く適用することができる。
【図面の簡単な説明】
【００７５】
【図１】本発明に係る移動通信システムの構成の一例を示す図
【図２】実施の形態１に係る通信端末装置の要部構成を示すブロック図
【図３】実施の形態１に係る通信端末装置の各位置における通常基地局装置および特殊基地局装置と通信端末装置との間の伝搬路品質を示す図
【図４】実施の形態１に係る通信端末装置の各位置における上り送信電力の変化を示し図
【図５】実施の形態２に係る通信端末装置の各位置における通常基地局装置および特殊基地局装置と通信端末装置との間の伝搬路品質を示す図
【符号の説明】
【００７６】
１００  通信端末装置
１０１  アンテナ
１０２  ＲＦ部
１０３  ＢＢ受信部
１０４  報知情報判定部
１０５  しきい値情報格納部
１０６  伝搬路品質測定部
１０７  候補基地局装置判定部
１０８  送信電力情報格納部
１０９  送信電力制御部
２００  通常基地局装置
３００  特殊基地局装置
【図１】
2007110210.tif 000003
【図２】
2007110210.tif 000004
【図３】
2007110210.tif 000005
【図４】
2007110210.tif 000006
【図５】
2007110210.tif 000007